(57)【要約】      （修正有）【課題】連結強度のために豪雪に耐えうるばかりでなく、揺れる融通性を有する連結となるために、大きな地震や台風に遭遇しても倒れ崩壊しない石積み塔を提供する。【解決手段】石を加工して成形された多数のパーツを積み重ねた石積み塔であって、その加工においてパーツに凹部１１又は／及び凸部１３を形成し、パーツの凹部に対して他のパーツの凸部または端部を嵌合することにより上下パーツを連結した。【効果】揺れる融通性を有する連結となるために、豪雪に耐えうるばかりでなく、大きな地震や台風に遭遇しても倒れ崩壊しなく、いつまでも安定性が保持されるので、災難時に修復に多大の費用がかかる不都合を未然に防止できる。【選択図】図１
0003106713.tif 000002
【実用新案登録請求の範囲】
【請求項１】
石を加工して成形された多数のパーツを積み重ねた石積み塔であって、その加工においてパーツに凹部又は／及び凸部を形成し、パーツの凹部に対して他のパーツの凸部または端部を嵌合することにより上下パーツを連結したことを特徴とする石積み塔。
【考案の詳細な説明】
【技術分野】
【０００１】
この考案は、庭園に設置される灯籠等の石積み塔に関する。
【背景技術】
【０００２】
灯籠は、灯火を入れる火袋を有するもので、これには軒先等に下げる吊り灯籠と、庭に設置する台灯籠とがあり、普通に灯籠というときには台灯籠を指す。また、台灯籠は、銅合金、鉄合金、石材等で造られるが、自然を生活空間に取り入れる文化を持つ日本では石灯籠が多用される。また、宗教的な思想に由来する礼拝の対象として又はモニュメントとして多数の石を積み重ねた石積み塔が庭に設置され、これらが緑の空間に趣を添えている。
【０００３】
しかしながら、多数の石を積み重ねて不安定であるために、大きな地震や豪雪、台風があったときには、倒れ崩壊するという問題があったので、従来、上下石と石との継ぎ目に接着剤を塗布して固定していたが、固定のために硬直し揺れる融通性に欠けることになるため、倒れ防止の目的を十分に達成することはできなかった。
【考案の開示】
【考案が解決しようとする課題】
【０００４】
この考案は、上記のような実情に鑑みて、連結強度のために豪雪に耐えうるばかりでなく、揺れる融通性を有する連結となるために、大きな地震や台風に遭遇しても倒れ崩壊しない石積み塔を提供することを課題とした。
【課題を解決するための手段】
【０００５】
上記の目的を達成するために、この考案は、石を加工して成形された多数のパーツを積み重ねた石積み塔であって、その加工においてパーツに凹部又は／及び凸部を形成し、パーツの凹部に対して他のパーツの凸部または端部を嵌合することにより上下パーツを連結したことを特徴とする石積み塔を提供するものである。
【０００６】
石積み塔を上記のように構成したから、要所のパーツに、（１）凹部のみを形成する、（２）凸部のみを形成する、（３）凹部と凸部を形成する、のうちのいずれかの加工を施すものであって、凹部に凸部が嵌合し、或いは上下何れかの端部が凹部に嵌合することによりパーツどうしが連結されるため、豪雪に耐える連結強度が保持されることはもちろん、連結が固定化されることがなく揺れる融通性があるため、大きな地震や台風に遭遇しても、揺れにより地震等の力が吸収されることになって倒れることがなく、いつまでも安定性が保持される。
【考案の効果】
【０００７】
以上説明したように、この考案の石積み塔によれば、揺れる融通性を有する連結となるために、豪雪に耐えうるばかりでなく、大きな地震や台風に遭遇しても倒れ崩壊しなく、いつまでも安定性が保持されるので、災難時に修復に多大の費用がかかる不都合を未然に防止できるという優れた効果がある。
【考案を実施するための最良の形態】
【０００８】
次に、幾つかの実施形態を図面に基づいて説明する。
【０００９】
図１および図２は、一実施形態を示したもので、その石積み塔Ｐａは、庭灯籠の一種としての雪見灯籠と言われるもので、石のパーツとして下から雪見台石１、受石２、火袋３、笠石４、擬宝珠５が順次積み重ねられる。そして、塔の中心軸を中心として要所パーツに上下を連結する凹部１１と凸部１３とが下記の通り設けられる。
【００１０】
受石２と笠石４とは六角形の平板状ないし平盤状であるが、図２に示すように、上下に分割して形成されており、広いために面接触により安定して一体化されている。そして、雪見台石１の上面に四角形の凹部１１を、下部受石２ｂの下面にそれに嵌まる凸部１３が形成される。この場合、凸部１３は、下部受石２ｂの下面の面積の例えば３０％程度を占めるようにすると安全である。また、上部受石２ａには中心を中心として前記六角形に沿った溝形の凹部１１が上面に設けられ、六角形の筒形に形成される火袋３が下端で凹部１１に嵌合される。なお、火袋３の六面には窓穴１５，１５，・・が設けられ、それぞれに窓格子１７，１７，・・が嵌め込まれている。
【００１１】
笠石４は、これも上部笠石４ａと下部笠石４ｂとが平面の面接触により一体化されており、下部笠石４ｂの下面に中心を中心として六角形に沿った溝により凹部１１が形成され、その凹部１１に火袋３の上端が嵌合される。また、上部笠石４ａの上面中心には四角形の凹部１１を設け、擬宝珠５の下端にはその凹部１１に嵌まる凸部１３が形成される。この場合、擬宝珠５については、継ぎ目としての下面に対して凸部１３の占める面積を例えば３０％程度とする。
【００１２】
図３および図４は、春日灯籠としての石積み塔Ｐｂを示したものであって、下から石パーツとして地輪２１、桂２２、受石２３、火袋２４、笠石２５、擬宝珠２６が積み重ねられる。この場合も、受石２３が上部受石２３ａと下部受石２３ｂとに、また、笠石２５が上部笠石２５ａと下部笠石２５ｂとにそれぞれ分割成形される。そして主なパーツどうしが前記実施形態の場合と同じように凹部１１と凸部１３により連結される。
【００１３】
すなわち、地輪２１の上面に凹部１１を、桂２２の下端面にそれに嵌まる凸部１３を設け、桂２２の上端面に凹部１１を下部受石２３ｂの下面にそれに嵌まる凸部１３が設けられる。また、上部受石２３ａに六角形に沿って火袋２４の下端が落ち込む段差を設けることにより凹部１１が形成される。
【００１４】
さらに、下部笠石２５ｂの下面には六角形の凹部１１を設け、それが火袋３の上端に嵌められる。また、上部笠石２５ａの上端に四角形の凹部１１を、擬宝珠２６の下端にそれに嵌まる凸部１３が形成される。
【００１５】
図５および図６は、十三の塔としての石積み塔Ｐｃを示し、この場合は、パーツとしては、基礎３１の上に塔身３２が載せられるほか、その上に１３個の笠石３３，３３，・・が積み重ねられ、上端に塔頂３４が載せられ、塔頂３４は、下から請花３４ａ、九輪３４ｂ、宝殊３４ｃが一体に形成されたパーツである。
【００１６】
全体の連結については、基礎３１の上面と最下端の笠石３３の下面とにはそれぞれ塔身３２が嵌まる凹部１１，１１が形成され、各笠石３３，３３どうしは下面の凹部１１と上面の凸部１３とにより連結され、上端では笠石３３の凹部１１に塔頂３４の凸部１３が嵌められている。
【図面の簡単な説明】
【００１７】
【図１】この考案の一実施形態を雪見灯籠として示す石積み塔の斜視図である。
【図２】同石積み塔のパーツの継ぎ目が凹部と凸部との嵌合によることを示すためのパーツ毎の分解斜視図である。
【図３】この考案の他の実施形態を春日灯籠として示す石積み塔の斜視図である。
【図４】同石積み塔のパーツの継ぎ目が凹部と凸部との嵌合によることを示すためのパーツ毎の分解斜視図である。
【図５】この考案のさらに他の実施形態を十三の塔として示す石積み塔の斜視図である。
【図６】同石積み塔のパーツの継ぎ目が凹部と凸部との嵌合によることを示すためのパーツ毎の分解斜視図である。
【符号の説明】
【００１８】
Ｐａ  雪見灯籠としての石積み塔
Ｐｂ  春日灯籠としての石積み塔
Ｐｃ  十三の塔としての石積み塔
１  パーツとしての雪見台石
２ａ  パーツとしての上部受石
２ｂ  パーツとしての下部受石
３  パーツとしての火袋
４ａ  パーツとしての上部笠石
４ｂ  パーツとしての下部笠石
５  パーツとしての擬宝珠
１１  凹部
１３  凸部
２１  パーツとしての地輪
２２  パーツとしての柱
２３ａ  パーツとしての上部受石
２３ｂ  パーツとしての下部受石
２４  パーツとしての火袋
２５ａ  パーツとしての上部笠石
２５ｂ  パーツとしての下部笠石
２６  パーツとしての擬宝珠
３１  パーツとしての基礎
３２  パーツとしての塔身
３３  パーツとしての笠石
３４  パーツとしての塔頂
【図１】
0003106713.tif 000003
【図２】
0003106713.tif 000004
【図３】
0003106713.tif 000005
【図４】
0003106713.tif 000006
【図５】
0003106713.tif 000007
【図６】
0003106713.tif 000008